(57)【要約】【課題】上腕が下がるのを防止することができる腕用枕を提供する。【解決手段】就寝時に上腕に取り付けて使用する腕用枕であって、上腕に着脱可能に取り付けられるバンド部材、および、前記バンド部材に設けられた保持部材によって保持された楔形のクッションを有し、前記腕用枕を上腕に取り付けた時に、前記クッションは、厚みの厚い方が肩側に位置し、厚みの薄い方が肘側に位置するように、前記バンド部材の保持部材によって保持されている。【選択図】図１
2018089125.tif 000002
【特許請求の範囲】
【請求項１】
就寝時に上腕に取り付けて使用する腕用枕であって、
上腕に着脱可能に取り付けられるバンド部材、および、
前記バンド部材に設けられた保持部材によって保持された楔形のクッションを有し、
前記腕用枕を上腕に取り付けた時に、前記クッションは、厚みの厚い方が肩側に位置し、厚みの薄い方が肘側に位置するように、前記バンド部材の保持部材によって保持されていることを特徴とする腕用枕。
【請求項２】
前記保持部材はポケットの形態で前記バンド部材に設けられており、前記クッションは前記ポケットの開口から出し入れ可能であり、前記クッションは厚みの薄い方から前記開口へと挿入されて保持されることを特徴とする請求項１に記載の腕用枕。
【請求項３】
前記バンド部材は帯の形態であり、前記帯の両端に設けた係合手段を係合させることで、前記バンド部材を上腕に巻き付けた状態で固定することができ、係合手段の係合を解除すると、前記バンド部材を上腕から取り外すことができることを特徴とする請求項１または２に記載の腕用枕。
【請求項４】
前記バンド部材は筒の形態であり、前記筒の中に腕を挿入することで、前記バンド部材を上腕に着脱可能に取り付けることができることを特徴とする請求項１または２に記載の腕用枕。
【請求項５】
前記バンド部材は、伸縮性および通気性の少なくとも１つの性質を有する素材からなることを特徴とする請求項１〜４のいずれか１項に記載の腕用枕。
【発明の詳細な説明】
【技術分野】
【０００１】
本発明は、就寝時に上腕に取り付けることで、五十肩による就寝時の痛みを防止する腕用枕に関する。
【背景技術】
【０００２】
中高年の人が悩まされる肩の痛み、いわゆる「五十肩」は、５０歳代を中心とした中年以降に発症し、運動時の痛みに加えて安静時または夜間の痛みが出現し、徐々に関節拘縮が現れて肩の可動域が制限されるようになる。このような五十肩を発症すると、就寝時に枕と上腕部との間に生じる段差によって、上腕が下がることで痛みを感じるようになり、安眠が妨げられ睡眠不足になるという問題があった。
【０００３】
肩凝り、四十肩などの解消を目的として、就寝時に腕が下がるのを防止するための枕（特許文献１〜３参照）もいくつか存在するが、これらはいずれも肩から肘の付近までを載せる２つの枕を、頭を載せる枕から互いに平行に延伸するように配置して、それぞれの枕を一体に設けたものであり、枕全体は略コ字状の平面形状を呈した構造を有している。そのため、特許文献１〜３に記載されている枕はいずれも一般的な枕の約２倍の大きさを有している。
【先行技術文献】
【特許文献】
【０００４】
【特許文献１】特開２００１−２７５８１１号公報
【特許文献２】特開２００５−２９６５８９号公報
【特許文献３】特開２００６−１９２０４１号公報
【発明の概要】
【発明が解決しようとする課題】
【０００５】
五十肩に限らず、就寝時に上腕が下がることによって生じる痛みを低減するための枕の必要性は十分に認識されている。しかしながら、従来の腕を載せる部分が一体となった枕は大きくコストが高く、そして、使用者は既に使用している枕の代わりに新しい枕に買い替える必要があるので、購入費用が負担になるという問題がある。また、枕が変わると眠れない人もいることから、頭を載せる枕が代わってしまうことにより、腕の痛みが軽減されても寝心地が悪くなり安眠できない場合もある。
【０００６】
そこで、本発明は、就寝時に上腕が下がるのを防止して痛みを低減し、さらに、従来のような高コストの大きな枕ではなく、低コストで誰もが簡単に購入することができる腕用枕を提供することを目的とする。
【課題を解決するための手段】
【０００７】
本発明の腕用枕は、就寝時に上腕に取り付けて使用する腕用枕であって、上腕に着脱可能に取り付けられるバンド部材、および、前記バンド部材に設けられた保持部材によって保持された楔形のクッションを有し、前記腕用枕を上腕に取り付けた時に、前記クッションは、厚みの厚い方が肩側に位置し、厚みの薄い方が肘側に位置するように、前記バンド部材の保持部材によって保持されていることを特徴とする。
【０００８】
前記保持部材はポケットの形態で前記バンド部材に設けられており、前記クッションは前記ポケットの開口から出し入れ可能であり、前記クッションは厚みの薄い方から前記開口へと挿入されて保持される。
【０００９】
前記バンド部材は帯の形態であり、前記帯の両端に設けた係合手段を係合させることで、前記バンド部材を上腕に巻き付けた状態で固定することができ、係合手段の係合を解除すると、前記バンド部材を上腕から取り外すことができる。
【００１０】
前記バンド部材は筒の形態であり、前記筒の中に腕を挿入することで、前記バンド部材を上腕に着脱可能に取り付けることができる。
【００１１】
前記バンド部材は、伸縮性および通気性の少なくとも１つの性質を有する素材からなる。
【発明の効果】
【００１２】
本発明の腕用枕は、就寝時に上腕に取り付けて使用する腕用枕であって、上腕に着脱可能に取り付けられるバンド部材、および、前記バンド部材に設けられた保持部材によって保持された楔形のクッションを有し、前記腕用枕を上腕に取り付けた時に、前記クッションは、厚みの厚い方が肩側に位置し、厚みの薄い方が肘側に位置するように、前記バンド部材の保持部材によって保持されており、就寝時、上腕の下に生じる空間を前記クッションが埋めることによって、就寝時に上腕が下がって生じる痛みを防止し、安眠を確保することができる。
【００１３】
前記保持部材はポケットの形態で前記バンド部材に設けられており、前記クッションは前記ポケットの開口から出し入れ可能であり、前記クッションは厚みの薄い方から前記開口へと挿入されて保持されていることにより、前記バンド部材から前記クッションを簡単に取り外すことができるので前記バンド部材だけを洗濯することが可能となって清潔な状態を保つことができ、また、異なる大きさの複数のクッションを用意しておくことで、使用者の体形、使用している枕の高さなどに合わせて適切な大きさのクッションを選択することで上腕が下がるのをより効果的に防止することができるようになる。
【００１４】
前記バンド部材は、伸縮性および通気性の少なくとも１つの性質を有する素材からなることにより、腕用枕を使用している時の使い心地を良くし、より安眠できる環境を提供することができる。
【図面の簡単な説明】
【００１５】
【図１】本発明の腕用枕の斜視図である。
【図２】クッションを取り外した状態の本発明の腕用枕の斜視図である。
【図３】上腕に取り付けた状態の腕用枕の斜視図である（上腕は図示せず）。
【図４】腕用枕を使用した状態の断面図である。
【図５】筒の形態の帯状部材を用いた本発明の腕用枕の斜視図である。
【発明を実施するための形態】
【００１６】
本発明の腕用枕１について、図面を用いて詳細に説明する。図１に示すのは腕用枕１の斜視図であり、図２に示すのはバンド部材２からクッション３を取り外した状態の腕用枕１の斜視図である。
【００１７】
本発明の腕用枕１は就寝時に上腕に取り付けて使用する枕であって、図１，２に示すように、バンド部材２、および、前記バンド部材２に設けられた保持部材４によって保持された楔形のクッション３を有する。前記ハンド部材２は帯の形態を有し、帯の一端の内側面に３つの係合手段６が設けられ、他端の外側面に、前記係合手段６と係合する３つの係合手段７が設けられており、そして帯の中央付近にポケットの形態の保持部材４が設けられている。
【００１８】
前記バンド部材２の材質は、上腕に取り付けることを考慮すると使用時に窮屈さを感じさせないために伸縮性を有する素材とすることが好ましい。また、夏に使用することを考慮すると、蒸れなどを防止するために通気性を有する素材を用いることが好ましいことから、例えば、メッシュ素材などを用いることが考えられる。また、上腕に触れる面には肌触りの良い材質を用いることも考えられる。このように、様々な条件を踏まえて、前記バンド部材２の材質は様々な材質から適宜、選択して用いることができる。さらに、前記バンド部材２の部位によって、材質を変えることも可能であり、内側面と外側面で異なる材質を用いることも可能である。そして、デザイン性を考慮して材質、色などを選択することも可能である。
【００１９】
前記係合手段６，７として面ファスナーを図示しており、前記バンド部材２を上腕に巻き付けて、前記バンド部材２の一端と他端を互いに重ね合わせ、前記係合手段６，７を互いに押し付けて付着させると、図４（上腕は図示せず）に示すような状態となり、簡単に前記バンド部材２を上腕に固定することができる。前記係合手段６，７に面ファスナーを用いると、上腕の太さに合わせて前記バンド部材２の長さを調節することが出来るので、性別、年齢、腕の太さに関係なく誰でも使用することができる。そして、前記係合手段６，７を引き剥がすと、前記バンド部材２を上腕から簡単に取り外すことが出来る。このように、前記係合手段６，７によって、腕用枕１は簡単に上腕に着脱することができ、また、上腕の太さに合わせて適切に取り付けることができる。前記係合手段６，７の例として面ファスナーを挙げているが、その他の係合手段を用いることも可能であり、面ファスナーだけに限定するものではない。
【００２０】
前記保持部材４は開口５を有するポケットの形態で前記バンド部材２の中央付近に設けられており、前記開口５は、前記バンド部材２を上腕に取り付けた際に、肩側に位置するように配置されている。前記保持部材４は前記クッション３を前記バンド部材２に保持する機能を有する形態であればよく、ポケット以外の形態も可能である。例えば、前記バンド部材２の厚みの中に前記クッション３を内蔵して出し入れできないようにした構造も可能であり、また、前記係合手段６，７のような面ファスナーを用いて、前記バンド部材２の内側又は外側の面に前記クッション３を着脱可能に取り付ける構造を用いることもできる。
【００２１】
図２に示すように前記クッション３は楔形であり、図１に示すようにポケットの形態の前記保持部材４に開口５から出し入れ可能に収容されて保持されている。前記クッション３は、布などによって形成されたカバーの中に綿などを詰めたもの、ポリウレタンフォームを楔形に成形したものなど、様々な形態が可能であり、腕用枕１を使用時に上腕を保持できる程度の弾力性を有し、使用者が硬さを感じで不快にならないものであればよい。また、上腕に沿うように曲面を有する形状も可能である。
【００２２】
図１，３，４に示すように楔形の前記クッション３は厚みの薄い方から前記開口５へと挿入してポケットの形態の前記保持部材４内に収容されて保持されている。そして、前記開口５は使用時に肩側に位置するように配置されていることから、図４に示すように、前記腕用枕１を上腕１０に取り付けた時に、前記クッション３は、厚みの厚い方が上腕の肩側に位置し、厚みの薄い方が肘側に位置することになる。
【００２３】
本発明の腕用枕１を使用する方法について簡単に説明する。図１の状態の腕用枕１を、前記クッション３の厚みの厚い方が肩側となるように前記バンド部材２を上腕に巻き付けるようにして取り付け、上腕の太さに合わせて長さを調節しながら前記バンド部材２の両端部を互いに重ね合わせて、図３に示すように前記係合手段６，７を互いに係合させて固定する。そして、就寝時に前記クッション３が上腕の下側となるよう位置を調節する。その後、使用者が就寝すると、図４に示すように、枕によって上腕の肩側が持ち上げられて生じた上腕の下側の空間を前記クッション３が埋めることにより、上腕が下がるのを防止し、五十肩の痛みを和らげることができるという優れた効果を奏する。
【００２４】
本発明の腕用枕１は、従来のような普通の枕と腕用の枕を組み合わせたものではなく、上腕専用の枕であることから製造コストは易くなり、また、現在使用している枕はそのまま使用することができるので、腕を載せる枕と頭を載せる枕が１つになった枕を新たに購入するよりも低コストで導入することができる。さらに、本発明の腕用枕１は上腕だけに取り付けられているので、就寝時の姿勢に合わせて腕用枕１の位置は使用者が適宜調節することができる。さらに、本発明の腕用枕１は、左右どちらの腕にも取り付けることができるので、同じものを２つ用意すれば両腕に使用することができ、製造コストを低減することができる。
【００２５】
ここまで説明してきた腕用枕１は、バンド部材２を帯の形態とした場合であったが、前記バンド部材２は筒の形態とすることも可能である。筒の形態のバンド部材２’を用いた腕用枕１’を図５に示す。腕用枕１’は、保持部材４、開口５およびクッション３は、腕用枕１と同じ形態を用いている。
【００２６】
筒の形態のバンド部材２’を用いた腕用枕１’は、筒の形態のバンド部材２’の中に腕を挿入することで上腕に取り付けることになるので、バンド部材２’を伸縮性を有する素材で形成する、あるいは、帯の形態のバンド部材２’の両端をゴムなどの伸縮性を有する素材で互いに接続して筒の形態とすることなどが考えられる。このような伸縮性を有する構造を前記バンド部材２’に用いることにより、前記バンド部材２’の中に腕を出し入れすることで簡単に腕用枕１’を着脱することができる。
【００２７】
本発明の腕用枕１’は、筒の形態のバンド部材２’を用いた場合でも、帯の形態のバンド部材２を用いた腕用枕１と同様に、就寝時に上腕が下がって生じる痛みを防止し、安眠を確保するという優れた効果を奏することができる。このように、バンド部材の形態は、上腕に着脱可能に取り付けることができれば、様々な形態が可能である。
【００２８】
本発明の腕用枕１，１’は、上腕に取り付けることを想定しているが、足に取り付けて足を部分的に保持するために使用することも可能である。
【符号の説明】
【００２９】
１，１’  腕用枕
２，２’  バンド部材
３        クッション
４        保持部材
５        開口
６，７    係合手段
１０      上腕
【図１】
2018089125.tif 000003
【図２】
2018089125.tif 000004
【図３】
2018089125.tif 000005
【図４】
2018089125.tif 000006
【図５】
2018089125.tif 000007